(57)【特許請求の範囲】
【請求項１】
サーバ、記憶装置、又はネットワーク機器を一例とする複数のＩＴ機器を実装したラックと、前記ラックを冷却するための空調機と、を備えたデータセンタにおいて、
前記ラックの吸気面の温度分布を計測する赤外線カメラと、前記ラックの排気面に設けたキャッピングダクト又はキャッピングカーテンからなる静的風向調整手段と、を設け、
前記赤外線カメラで計測した前記ラック吸気面の温度分布に基づいて各ＩＴ機器の吸気温度を演算し、前記演算した吸気温度が各ＩＴ機器で均一となるように、静的風向調整手段を調整し、
前記調整は、前記キャッピングダクト又はキャッピングカーテンの奥行き方向と高さ方向の寸法を拡大または縮小することで行い、
前記空調機は、前記均一となるＩＴ機器の吸気温度に対応した前記空調機の吐出温度又は吐出風量を空調制御する
ことを特徴とするデータセンタ。
【請求項２】
請求項１において、
前記赤外線カメラに代えて、前記ラックの吸気面に複数の熱電対を配設し、前記熱電対で前記ラックの吸気面の温度分布を計測することを特徴とするデータセンタ。
【請求項３】
請求項１において、
前記空調機は、前記ＩＴ機器の負荷変動の時間的予測に対応して前記空調機の吐出温度又は吐出風量を空調制御することを特徴とするデータセンタ。
【発明の詳細な説明】
【技術分野】
【０００１】
本発明は、サーバ、記憶装置、ネットワーク機器等のＩＴ機器を搭載した多数のラックと、ラック内のＩＴ機器を冷却するための空調機と、を備えたデータセンタ又は計算機システムに係わり、特に、空調機の吐出空気温度を上げることを可能とする省エネ技術に関するものである。
【背景技術】
【０００２】
ＩＴ機器を搭載したラックを多数設置した計算機システムまたはデータセンタでは、ＩＴ機器から発する熱を空調機の冷風により、除熱している。また、現状の計算機システムまたはデータセンタではラック上部に取り付けたセンサで空気温度をモニタし、モニタした複数の地点の温度の最大値が規定温度以下になるように、空調機の吐出空気温度を調整している。しかし、ラック間またはラックの高さ方向の上下間では、ラックからの排気が吸気部へ廻り込むことにより、吸気温度に差がでてくる。そのため、吸気温度が最大となるラック以外でのラックでは、温度の低い空気が空調機から無駄に供給されることになり、必要以上に空調機電力を消費することになる。そこで、空調機の消費電力を低減するために、ラック間またはラックの高さ方向の吸気温度を均一化し、空調機からの吐出空気温度を上げることが必要となる。
【０００３】
また、計算機システムまたはデータセンタのＩＴ機器は、計算又は処理負荷が時間とともに変動し、それに対応してＩＴ機器からの排熱の量も時間的に変化する。それに伴い、ラック間またはラックの高さ方向で吸気温度が時間的に変化する。したがって、空調機の吐出空気温度による消費電力の増加により、空調機の消費電力は増大し、空調機電力の低減が課題となっている。
【０００４】
そこで、空調機電力の低減のために外気導入を行い、空調機の稼働時間を少なくして省電力化をする方式が導入されつつある。しかし、冬場の温度の低い外気は湿度も低く、サーバをはじめとするＩＴ機器への流入空気の環境湿度を満足せず、そのまま外気を導入した場合には、静電気が発生し、ＩＴ機器の故障、破損を招くこともあり得る。そのため、外気の温度の低い空気を導入したにも関わらず、空調機を稼働させ、加熱加湿するので、空調機の電力を削減できない場合もある。
【０００５】
ここで、計算機システムまたはデータセンタに関連する温度制御についての従来技術の文献例をみると、次のような特許文献を挙げることができる。すなわち、複数の温度センサの計測結果から、室内の温度分布を求めているものが、特許文献１に開示されている。また、計算機システムまたはデータセンタではないが、赤外線センサを利用して室内の温度分布を求めているものが、特許文献２に開示されている。
【０００６】
さらに、ラックの上段側排気に下段側排気を混合し、混合して温度が下がった排気を吸気側へ送っているものが、特許文献３に開示されている。また、排気側でなく、吸気側にルーバがあり、給気排気の温度によりルーバの開閉を制御しているものが、特許文献４に開示されている。また、ブロワの排気側にダンパがあり、ブロワ故障時に排気が吸気側に逆流しないように故障したブロワのダンパを強制的に閉じているものが、特許文献５に開示されている。
【先行技術文献】
【特許文献】
【０００７】
【特許文献１】特開２０００−２８３５２６号公報
【特許文献２】特開平０５−３１２３８１号公報
【特許文献３】米国特許第７３４９２０９号明細書
【特許文献４】特開２００９−１２３８８７号公報
【特許文献５】米国特許第７４１６４８１号明細書
【発明の概要】
【発明が解決しようとする課題】
【０００８】
サーバ、記憶装置、ネットワーク機器等のＩＴ機器を搭載したラックを多数設置したデータセンタまたは計算機システムでは、ＩＴ機器のみならず、空調機の電力を削減し、データセンタまたは計算機システム全体の省エネ化が叫ばれている。すなわち、発熱したＩＴ機器を冷却する際に、ラック上部に取り付けた温度センサで空気温度をモニタし、モニタした複数の地点の温度の最大値が規定温度以下になるようにする従来通りの空調のやり方では大幅な省エネは図れない。その理由は、吸気温度が最大となるラック以外では、温度の低い空気を無駄に供給することになり、必要以上に空調機電力を消費することになるためである。そこで、ラック間またはラックの高さ方向で吸気温度に差を生じにくくする必要がある。
【０００９】
冷却を必要とする室内の温度を速やかにかつ効果的に制御する方法が従来から検討されている。上記の背景技術欄で挙げた特許文献１に記載されている方法は、シミュレーションを用いて室内の温度分布を予測し、複数の温度センサの計測結果から、室内の温度分布を求めている。しかし、特許文献１に記載の技術においては、所定の温度範囲内での判定を行い、床にはめ込まれたファンの風量及び風向きを制御するため、ラック高さ方向での吸気温度の分布形成が生じることがあり、この吸気温度の分布に対する課題に関しては何ら配慮されていない。
【００１０】
また、データセンタまたは計算機システムではないが、室内の空気温度を推定し、室内の空気温度分布を均一にする方法が従来から検討されている。上記の背景技術欄で挙げた特許文献２に記載されている方法は、駆動機構を介して天井に取り付けられた赤外線センサを利用して室内の温度分布を求めている。しかし、特許文献２に記載の技術においては、床下から吹き出す空気の風向き、温度を制御しているため、特許文献１と同様、ラック高さ方向での吸気温度の分布形成が生じることがあり、この吸気温度の分布に対する課題に関しては何ら配慮されていない。
【００１１】
また、吸気と排気を混合させることで吸気温度を均一にする方法が従来から検討されている。上記の背景技術欄で挙げた特許文献３に記載されている方法は、ラックの上段側からの排気に下段側からの排気を混合させ、温度の下がった排気を吸気側へ送っている。しかし、特許文献３に記載の技術においては、吸気温度は均一になるものの、ラック内での循環流があるため、吸気温度が時間とともに徐々に増加することが考えられるため、ＩＴ機器の吸気温度が仕様温度を超過する課題を生じ得るが、この課題に関しては何ら配慮されていない。
【００１２】
また、ルーバの開閉により、収納された電子機器を推奨温度以下に保つ方法が従来から検討されている。上記の背景技術欄で挙げた特許文献４に記載されている方法は、ＩＴ機器の排気側でなくて吸気側にルーバがあるものであり、給気及び排気の温度により吸気側に設けたルーバの開閉を制御している。しかし、特許文献４に記載の技術においては、吸気側に可動式ルーバを設けているため、排気側からの廻り込みによる吸気温度が上昇する課題を生じ得るが、この課題に関しては何ら配慮されていない。
【００１３】
また、排気の吸気側への逆流を防止する方法が従来から検討されている。上記の背景技術欄で挙げた特許文献５に記載されている方法は、ブロワの排気側にダンパがあり、ブロワ故障時に排気が吸気側に逆流しないように故障したブロワのダンパを強制的に閉じている。しかし、特許文献５に記載の技術においては、ブロワ故障時の逆流防止として、開閉板を設けたものであり、ブロワ通常動作時には流れに対して流体抵抗となる課題を生じ得るが、この課題に関しては何ら配慮されていない。
【００１４】
本発明の目的は、ラックに搭載された各ＩＴ機器の吸気温度が均一となるように、ラック排気側から吸気側への高温空気の廻り込み量を制御することによって、空調機の吐出空気温度を上げて省エネを可能とした、ラックと空調機を備えたデータセンタまたは計算機システムを提供することにある。
【課題を解決するための手段】
【００１５】
前記課題を解決するために、本発明は主として次のような構成を採用する。  
サーバ、記憶装置、又はネットワーク機器を一例とする複数のＩＴ機器を実装したラックと、前記ラックを冷却するための空調機と、を備えたデータセンタ又は計算機システムにおいて、前記ラックの吸気面の温度分布を計測する赤外線カメラと、前記ラックの排気面に設けたキャッピングダクト又はキャッピングカーテンからなる静的風向調整手段と、を設け、前記赤外線カメラで計測した前記ラック吸気面の温度分布に基づいて各ＩＴ機器の吸気温度を演算し、前記演算した吸気温度が各ＩＴ機器で均一となるように、静的風向調整手段を調整し、前記調整は、前記キャッピングダクト又はキャッピングカーテンの奥行き方向と高さ方向の寸法を拡大または縮小することで行い、前記空調機は、前記均一となるＩＴ機器の吸気温度に対応した前記空調機の吐出温度又は吐出風量を空調制御する構成とする。
【００１６】
また、前記データセンタ又は計算機システムにおいて、前記赤外線カメラに代えて、前記ラックの吸気面に複数の熱電対を配設し、前記熱電対で前記ラックの吸気面の温度分布を計測する構成とする。
【００１７】
また、前記データセンタ又は計算機システムにおいて、前記空調機は、前記ＩＴ機器の負荷変動の時間的予測に対応して前記空調機の吐出温度又は吐出風量を空調制御する構成とする。
【発明の効果】
【００１８】
本発明によれば、ラックに搭載された各ＩＴ機器の吸気温度を均一化するように、ラック排気側から吸気側への空気廻り込み量を制御して、空調機の吐出空気温度を上げることができ、これによって空調機の電力消費を少なく済ませることができる。このため、ラックと空調機を設置したデータセンタまたは計算機システムを省エネとすることができる。
【図面の簡単な説明】
【００１９】
【図１】本発明の実施形態に係るデータセンタにおけるＩＴ機器を搭載したラックと空調機と天井面設置の温度センサとの配置構造を示す図である。
【図２】本発明の実施形態に係るデータセンタにおけるＩＴ機器を搭載したラックと空調機とラック吸気面に設置の熱電対との配置構造を示す図である。
【図３】本実施形態に関するラックの背面側に設けた静的風向制御手段としてのキャッピングダクトを示す図である。
【図４】本実施形態に関するラックの背面側に設けた静的風向制御手段としてのキャッピングカーテンを示す図である。
【図５】本実施形態に関するラックの背面側に設けた動的風向制御手段としてのルーバを示す図である。
【図６】本実施形態に関するラックの背面側に設けた動的風向制御手段としてのルーバの動作例を示す図である。
【図７】本実施形態に関するラックの背面側に設けた動的風向制御手段としての多孔板を示す図である。
【図８】本実施形態に関するラックの背面側に設けた動的風向制御手段としての多孔板の動作例を示す図である。
【発明を実施するための形態】
【００２０】
本発明の実施形態に係るデータセンタまたは計算機システム（以下、データセンタと称する）について、図面を参照しながら以下詳細に説明する。図１は、本発明の実施形態に係るデータセンタにおけるＩＴ機器を搭載したラックと空調機と天井面設置の温度センサとの配置構造を示す図である。
【００２１】
図１において、１は空調機、２はＩＴ機器を搭載したラック、３はデータセンタ、４は静的制御部（例えば、図３と図４に示すラックの排気側に設けたキャッピングダクトとキャッピングカーテン等）、５は動的制御部（例えば、図５と図６に示すラックの排気側に設けたルーバ、または図７と図８に示すラックの排気側に設けた多孔板等）、６は空気、７は床下、１１は赤外線カメラ（ラックの吸気面の温度分布をモニタするもの）、２０は床面通風口、をそれぞれ表す。
【００２２】
図１には、ＩＴ機器をそれぞれ内部に搭載した５台のラック２と、１台の空調機１とからなるデータセンタ３の概略構成を示す。ラック２に収容されたＩＴ機器としては、サーバ、ストレージ、ルータ等が挙げられる。データセンタ３の天井には赤外線カメラ１１が設置されており、監視用カメラと同様、カメラを回転することで、５台のラック２の吸気面（図１の例ではラックの前面側の面）の温度をモニター（計測）することができる。また、カメラを回転させない場合、広角レンズを用いることで５台のラック２の吸気面の温度を計測することもできる。さらに、ラック２の排気面（図１の例ではラックの背面側の面）には後述する静的制御部４又は動的制御部５が設けられている。
【００２３】
本実施形態の構成例では床が二重の構造になっているが、通常の床構造でも同様な効果が得られる。空調機１の底部から吐き出された空気６は、ラック２の床下７を通り、さらに床面の通風口２０を通ってラック２の吸気面（ラックの前面側の面）へ流れ込む。ラック２内のＩＴ機器を通過する段階で、ＩＴ機器から生じる熱を空気６へ伝達する。ここで、ラック２に搭載されたＩＴ機器内には不図示の冷却用の内蔵ファンが設けられていて、そのファンがラック２の吸気面から空気６を吸い込み、この空気６がラック２内に搭載されたＩＴ機器等の発熱体からの熱と熱交換して、ラック２の排気面から排出される。その際、内蔵ファンによる吸い込み時に吸気側が負圧になるので、排気側の空気が吸気側に廻り込む現象が生じる。
【００２４】
ＩＴ機器を通過後の空気６はＩＴ機器からの放熱で高温となり、ラック２の排気面（ラックの背面側の面）を経て、天井へ伝わり、空調機１の上部の吸気口へ流れ込む。続いて、空調機１で冷媒液や冷水等で空気６の温度を下げ、再び空調機１の底部から空気６を吐出す循環式構造となっている。
【００２５】
ここで、従来技術の場合、ラック２から流出した高温の空気６が、ＩＴ機器内に設置されている冷却ファンによる負圧現象のために、ラック２の吸気面側へ戻っていた。特に、ＩＴ機器を搭載したラック２の上方側で吸気面側への戻りの傾向が強い。このため、ラック２の吸気面側の空気温度が高温となり、この高温の空気温度を下げるために、空調機１の吐出空気温度を下げており、空調機１の消費電力が増大することになった。さらに、ラック２内のＩＴ機器は計算負荷又は処理負荷が時間的に変化しているため、排気面側からの空気６に温度変化があり、その廻り込みによる吸気温度の変化も生じる。
【００２６】
そこで、本実施形態では、ラック吸気側で時間的に変化する吸気温度をリアルタイムに計測できように、赤外線カメラ１１を例えばデータセンタ３の天井面に設けて、測定した吸気温度分布の結果に基づいて、ラックの排気面側に設置した、後述するキャッピングダクト（ラック２から流出した空気流路を誘導すべく空気通路を形成する薄板状の四辺形状からなるもの）等の静的制御部４、またはルーバ等の動的制御部８を調整、または制御する構成としている。
【００２７】
すなわち、赤外線カメラ１１でラック２の前面側の吸気温度を測定し、ラック２内に搭載されたＩＴ機器の吸気温度を見積もり（演算し）、見積もられた吸気温度が均一になるように、後述する図３と図４に示すように静的制御部４の制御をしたり、また、後述する図５と図６に示すようには動的制御部５の制御をしたりする。ここで、ＩＴ機器の動作許容温度が例えば１５〜３５℃とすると、すべてのラック２内のＩＴ機器の吸気温度が３５℃を超えない適宜の温度で均一となるように、静的制御又は動的制御するのが本実施形態の特徴である。その際、ＩＴ機器はラックの前面側にすべてが配置されているとは限らず、後面側又は中央側に配置されている場合もあり、赤外線カメラ１１によるラック前面側の測定吸気温度とその配置状況とを勘案して静的制御又は動的制御することとなる。
【００２８】
なお、赤外線カメラで計測したラック前面側の吸気温度を基にしてラック内に搭載されたＩＴ機器の吸気温度を見積もり（演算）する制御部は、不図示ではあるが当然に必要であり、ＩＴ機器の吸気温度を均一にするように動的制御部５を制御する制御手段も不図示ではあるが必要である。さらに、図３と図４で後述する静的制御部４におけるキャッピングダクト又はキャッピングカーテンのサイズを決定し表示する決定表示手段も不図示ではあるが必要である。
【００２９】
静的制御部４の制御又は動的制御部５の制御により、ＩＴ機器の吸気温度を均一にし、最高となる吸気温度を下げることができる。そうすると、最高となる吸気温度を基に空調機の吐出温度（吐出風量でもよい）を制御している空調機１は、その温度制御において吐出空気温度を上げることができる。なお、説明は省略するが、一般的に、空調機１の吐出空気温度を１℃上昇させることで、空調機１の消費電力を２．５％低減することができる。
【００３０】
次に、本発明の実施形態に係るデータセンタの他の構成例について、図２を参照しながら説明する。図２は、本発明の実施形態に係るデータセンタにおけるＩＴ機器を搭載したラックと空調機とラック吸気面に設置の熱電対との配置構造を示す図である。
【００３１】
図２に示す構成例が、図１の構成と異なる点は、ラック２の吸気温度を計測する方法として、図１に示す天井に取り付けた赤外線カメラ１１ではなく、吸気面近傍に多点の熱電対１９を取り付けた構成である。図２によると、ラック２の吸気面側に描かれた縦線と横線の交点に熱電対１９接点を配置している。熱電対１９の設置間隔は、ＩＴ機器の最小搭載間隔であるＵ（≒４４．５ｍｍ）単位（高さ単位）である（ＩＴ機器はＵ単位の高さで実装される）。熱電対１９の設置の幅方向は図２では５分割しているが、最小でも右端、中間、左端の３分割は必要である。
【００３２】
多点の熱電対１９を用いて、ラック２内に搭載されたＩＴ機器の吸気温度を見積もり（演算し）、この吸気温度が均一になるように、静的制御部４による制御をしたり、動的制御部５による制御をしたりする。図１の場合と同様に、ＩＴ機器の吸気温度を均一にして、最高となる吸気温度を下げることができ、最高となる吸気温度に基づいて吐出温度の制御をする空調機１の吐出空気温度を上げることができて消費電力を低減することができる。
【００３３】
次に、本実施形態に係るデータセンタにおける静的制御部を構成する静的風向制御手段について、図３を参照しながら説明する。図３は本実施形態に関するラックの背面側に設けた静的風向制御手段としてのキャッピングダクトを示す図である。
【００３４】
図３には、ＩＴ機器を内部に搭載したラック２背面の上下左右の４辺面がキャッピングダクト９で仕切られた構成を示す。キャッピングダクト９の４辺面の薄板形状によってラック２から送られてきた高温の空気を背後に誘導して、吸気側への廻り込みをなくしている。ここで、キャッピングダクト９は、ラック２の高さ方向と奥行き方向へその寸法を拡大／縮小１０できるようになっている。図３の図示例で説明すると、キャッピングダクト９の上辺面がラック２の上辺よりも高く形成された形状となっているが、この形状はラックの天井からの廻り込みを無くするようにするためである。
【００３５】
ラック２内におけるＩＴ機器の設置位置と搭載台数、ＩＴ機器の消費電力などを判断基準にして、キャッピングダクト９を高さ及び奥行き方向に予め拡大／縮小させて固定しておくことによって、ＩＴ機器で高温となった空気の吸気側への廻り込みを少なくすることができる。この廻り込みを少なくすることにより、ＩＴ機器の最高となる吸気温度を下げることができ、空調機１の吐出空気温度を上げることができる。
【００３６】
次に、本実施形態に係るデータセンタにおける静的制御部を構成する静的風向制御手段について、図４を参照しながら説明する。図４は本実施形態に関するラックの背面側に設けた静的風向制御手段としてのキャッピングカーテンを示す図である。
【００３７】
図４には、ラック２背面の左右の２面がキャッピングカーテン１２により仕切られた構成を示す。ラック２の奥行き方向へその寸法を拡大／縮小１０できるようになっている。ファンを内蔵するＩＴ機器の実装位置に対応して、キャッピングカーテン１２の左右面のそれぞれの奥行き寸法を予め拡大／縮小させて固定しておく。図３に示すキャッピングダクト９より簡便な構造であり、最低限度で、ＩＴ機器内のファンによる排気空気の廻り込みをなくすことができる。これによって、ＩＴ機器の最高となる吸気温度を下げることができ、空調機１の吐出空気温度を上げることができる。図４において、図３と同様に、上下面の奥行き寸法を拡大／縮小してもよく、高さ寸法を拡大／縮小してもよい。
【００３８】
次に、本実施形態に係るデータセンタにおける動的制御部を構成する動的風向制御手段について、図５を参照しながら説明する。図５は本実施形態に関するラックの背面側に設けた動的風向制御手段としてのルーバを示す図である。
【００３９】
図５には、ルーバ１３がラック２の上下高さを一定の高さ１５で区分けしたサイズを有し、それぞれが上下方向に対して回転１４する構成を示す。一定高さ１５は１〜３Ｕ（ＵはＩＴ機器の搭載間隔の単位）の程度である。ルーバ１３の回転１４する角度によって、ラック２に搭載されたＩＴ機器を通過した後の高温の空気の流れを制御でき、吸気側への廻り込みを抑制できる。図５ではルーバ１３の回転角度がラック２高さ方向で同じ角度となっている。これはＩＴ機器の計算負荷又は処理負荷が同じで、比較的に排気空気の温度が低い場合の構成例を示したものである。図５に示す構成例により、ＩＴ機器の最高となる吸気温度を下げることができ、空調機１の吐出空気温度を上げることができる。
【００４０】
次に、本実施形態に係るデータセンタにおける動的制御部を構成する動的風向制御手段について、図６を参照しながら説明する。図６は本実施形態に関するラックの背面側に設けた動的風向制御手段としてのルーバの動作例を示す図である。
【００４１】
図６は図５の場合と異なり、ＩＴ機器の計算負荷又は処理負荷が異なり、かつ比較的排気温度が高い場合の構成例である。ラック２内のＩＴ機器から流出した高温の空気がラック２の吸気側へ廻り込まないように、ルーバ１３の回転角度を制御し、ＩＴ機器の吸気温度が均一になるように調整している。この調整により、ＩＴ機器の最高となる吸気温度を下げることができ、空調機１の吐出空気温度を上げることができる。
【００４２】
次に、本実施形態に係るデータセンタにおける動的制御部を構成する動的風向制御手段について、図７を参照しながら説明する。図７は本実施形態に関するラックの背面側に設けた動的風向制御手段としての多孔板を示す図である。
【００４３】
図７には、動的風向制御手段として、一定の高さ１８で区分けした二枚重ねの多孔板１６の一方を左右にスライド１７させて通過通気量を制御する構成を示す。ここで、多孔板１６の高さ１５は１〜３Ｕ程度である。二枚重ねの多孔板１６の一方をスライド１７させ、そのスライド量によって多孔板１６の開口面積を調整し、ラック２の排気側を通過する空気の量を制御できる。この通過空気量の制御で、ＩＴ機器の吸気側への廻り込み量を加減でき、ＩＴ機器の吸気温度を均一にすることができる。
【００４４】
図７では、多孔板１６のスライド１７の量がラック２のラック高さ方向で同じとなっており、ラック上下方向に多数搭載したＩＴ機器の計算負荷又は処理負荷が同じで、比較的に排気空気の温度が低い場合の構成例を示している。この構成例により、ＩＴ機器の吸気側での最高となる吸気温度を下げることができ、空調機１の吐出空気温度を上げることができる。
【００４５】
次に、本実施形態に係るデータセンタにおける動的制御部を構成する動的風向制御手段について、図８を参照しながら説明する。図８は本実施形態に関するラックの背面側に設けた動的風向制御手段としての多孔板の動作例を示す図である。
【００４６】
図８は図７の場合と異なり、ＩＴ機器２の計算負荷又は処理負荷が異なり、かつ比較的排気温度が高い場合の構成例である。ラック２内のＩＴ機器から流出した高温の空気がラック２の吸気側へ廻り込まないように、二枚重ねの一方の多孔板１６のスライド量を、ラック２の高さ方向に配置した多孔板毎に適宜に制御し、多孔板１６の開口面積を調整している。図８の図示例では、上から３つ目の多孔板１６は、二枚のそれぞれの多孔板の開口同士がぴったり重なり合って二枚重ね多孔板の開口が最大となった場合であり、上から６つ目は、それぞれの多孔板の開口位置がずれて、二枚重ね多孔板には開口を無くした場合である。二枚重ね多孔板１６の開口面積を調整することで、上述したように畢竟、ＩＴ機器の吸気温度が均一になるように調整している。図８に示す構成例により、ＩＴ機器の最高となる吸気温度を下げることができ、空調機１の吐出空気温度を上げることができる。
【００４７】
以上説明した本発明の実施形態では、ＩＴ機器のラックにおける設置位置の差異（例えば、ラックの上方配置）によって、ファンによる廻り込み現象で一部のＩＴ機器の吸気温度に差異が生じていたことを解決しようとするものであるが、ＩＴ機器のそれぞれで吸気温度に変化が生じるのは、ＩＴ機器のそれぞれの設置位置の差異ばかりではなくて、ＩＴ機器の計算負荷又は処理負荷の時間的変化にも前述したように起因する。
【００４８】
例えば、ＩＴ機器の時間経過による負荷変動予測（１日の動作で日中は負荷が大であり夜間は負荷が僅少となる）が可能である場合には、リアルタイムでのラック前面側の温度計測の見積もりに基づいたＩＴ機器吸気温度の均一化制御に加えて、当該負荷変動の時間的予測に対応して空調機の吐出温度又は吐出風量を変化させるように制御しても良く、当該制御によれば、ラック前面側の温度計測の見積もりに基づいた制御において発生し得る時間遅れを解消できる。ここで、前記見積もりに基づいた空調制御と前記時間的予測に基づいた空調制御の組み合わせは、周知の従来技術を適宜に適用すればよい。
【符号の説明】
【００４９】
１  空調機
２  ＩＴ機器
３  データセンタ
４  静的制御
５  動的制御
６  空気
７  床下
８  静的風向制御手段
９  キャッピングダクト
１０  寸法の拡大／縮小
１１  赤外線カメラ
１２  キャッピングカーテン
１３  ルーバ
１４  回転
１５  一定高さ
１６  多孔板
１７  スライド
１８  一定高さ
１９  熱電対
２０  床面通風口
【図１】
0005535872.tif 000002
【図２】
0005535872.tif 000003
【図３】
0005535872.tif 000004
【図５】
0005535872.tif 000005
【図６】
0005535872.tif 000006
【図７】
0005535872.tif 000007
【図８】
0005535872.tif 000008
【図４】
0005535872.tif 000009